(57)【特許請求の範囲】
【請求項１】
複数の端末器が接続された配電線のバンクと、この複数のバンクに接続された前記各端末器と配電線を伝送路として交信する端末制御装置とを備えて構成される配電線搬送システムにおいて、
前記端末制御装置は、１つの前記バンクに端末呼び出し信号を送出し、この呼び出しに対して応答があった場合には呼び出した端末器のバンクを１つの前記バンクとして仮にバンク登録し、その後、他の前記バンクに端末呼び出し信号を送出し、この呼び出しに対して、応答があった場合には、最も大きな応答信号レベルを有する応答のあったバンクを呼び出した端末器の正規のバンクとしてバンク登録し、応答がなかった場合には、仮に登録した前記バンクを正規のバンクとしてバンク登録することを特徴とするバンク登録方法。
【請求項２】
前記端末制御装置は、前記バンク登録後は登録バンクにのみ端末呼び出し信号を送出し、所定回数以上のこの端末呼び出しに対して端末器から応答がないと、前記バンク登録を抹消し、再度前記バンク登録を行うことを特徴とする請求項１に記載のバンク登録方法。
【請求項３】
再度の前記バンク登録の際、前記端末制御装置の呼び出しに対して全てのバンクについて応答のない端末器のバンク登録を抹消することを特徴とする請求項２に記載のバンク登録方法。
【発明の詳細な説明】
【０００１】
【発明の属する技術分野】
本発明は、交流電力を需要家に供給する配電線を伝送路として用いる配電線搬送システムにおいて、複数のバンクに接続された各端末器のバンク登録を端末制御装置に対して行うバンク登録方法に関する。
【０００２】
【従来の技術】
配電線搬送システムでは、一般的に、各需要家の使用電力量を計測する端末器が配電線の各バンク毎に複数台接続されている。ここで、バンクとは１つの変圧器が担当する各需要家への配電区分をいう。中継器は、各バンクの各端末器で計測された使用電力量データを収集し、電力会社の支社などにある中央装置へ収集したデータを送出する。この中継器は、複数のバンクに接続された各端末器と配電線を伝送路として交信する端末制御装置を構成している。
【０００３】
各端末器がどのバンクに接続されているかということは予め中継器にバンク登録されており、中継器は、使用電力量のデータ収集の際、登録されたバンクにだけ端末器の呼び出し信号を送出する。このようなバンク登録方法によれば、中継器の呼び出し信号を他のバンクへ送出する必要がないため、直ちに目的とする端末器が呼び出されて通信時間が短縮されると共に、中継器で消費される電力が低減される。
【０００４】
【発明が解決しようとする課題】
しかしながら、上記従来のバンク登録方法では、中継器に対する各端末器のバンク登録はもっぱら作業員の手作業によって行われていた。作業員は、バンク登録に際し、まず、図面から各端末器が接続されているバンクの種類を調査し、この調査によって判明した各端末器と各バンクとの関係に基づき、中継器にバンク登録をしていた。このため、従来のバンク登録方法では、全ての端末器についてのバンク登録を終えるのに、多大な労力および時間を要した。
【０００５】
また、ある変圧器が担当する各需要家への配電区分が変更され、端末器の接続されていたバンクが別のバンクに変更された場合、その負荷分割の都度、多大な労力および時間を要する上記従来のバンク登録方法により、再度バンク登録をし直さなければならなかった。また、同じバンク内であっても負荷となる端末器が増減した場合には、同様に、再度バンク登録をし直さなければならなかった。
【０００６】
本発明の目的は、上述したバンク登録の利点を活かしながら、負荷分割等の状況変化にも自動的に対応できるバンク登録方法を提供することにある。
【０００７】
【課題を解決するための手段】
このために本発明は、複数の端末器が接続された配電線のバンクと、この複数のバンクに接続された各端末器と配電線を伝送路として交信する端末制御装置とを備えて構成される配電線搬送システムにおいて、端末制御装置が、１つのバンクに端末呼び出し信号を送出し、この呼び出しに対して応答があった場合には呼び出した端末器のバンクを１つの前記バンクとして仮にバンク登録し、その後、他のバンクに端末呼び出し信号を送出し、この呼び出しに対して、応答があった場合には、最も大きな応答信号レベルを有する応答のあったバンクを呼び出した端末器の正規のバンクとしてバンク登録し、応答がなかった場合には、仮に登録した前記バンクを正規のバンクとしてバンク登録することを特徴とする。
【０００８】
本方法によれば、バンク登録は、事前調査といった労力および時間を必要とする人手によることなく、端末制御装置自身によって自動的に行われる。
【００１０】
また、本発明は、バンク登録後は登録バンクにのみ端末呼び出し信号を送出し、所定回数以上のこの端末呼び出しに対して端末器から応答がないと、バンク登録を抹消し、再度上記のバンク登録を行うことを特徴とする。
【００１１】
本方法によれば、負荷分割等の状況変化によって端末器とバンクとの関係に変更があっても、この状況変化が端末制御装置によって自動的に把握され、自動的にバンク登録がし直される。
【００１２】
また、本発明は、この再度のバンク登録の際、端末制御装置の呼び出しに対して全てのバンクについて応答のない端末器のバンク登録を抹消することを特徴とする。
【００１３】
本方法によれば、端末器とバンクとの関係に変更があって既に登録された端末器が取り外されて無い場合、その端末器のバンク登録は自動的に抹消される。
【００１４】
【発明の実施の形態】
次に、本発明の一実施形態によるバンク登録方法について説明する。
【００１５】
図１は本実施形態が適用される配電線搬送システムの全体構成図である。
【００１６】
伝送路として使用される交流配電線１は柱上変圧器３に接続されており、また、同様に伝送路として使用される交流配電線２は柱上変圧器４に接続されている。交流配電線１によって交流電力が供給される電力配電区分はバンクＡを構成しており、このバンクＡには多数の端末器１ａ，１ｂ，…が接続されている。また、交流配電線２によって交流電力が供給される電力配電区分はバンクＢを構成しており、このバンクＢにも多数の端末器２ａ，２ｂ，…が接続されている。
【００１７】
各端末器１ａ，１ｂ，…、２ａ，２ｂ，…は各需要家の使用電力量を計測する。各交流配電線１，２は中継器５に接続されており、各端末器１ａ，１ｂ，…、２ａ，２ｂ，…で計測された使用電力量データは、各交流配電線１，２を伝送路として中継器５に収集される。中継器５は、通信線接続端子６を介して電力会社に設置された中央装置等に接続されており、収集した使用電力量データをこのような上位機器へ送出する。
【００１８】
図２は中継器５の内部構成例を示すブロック図である。中継器５は、配電線接続端子１１を介して各交流配電線１，２に接続され、送信回路１２から各端末器１ａ，１ｂ，…、２ａ，２ｂ，…へ呼び出し信号を送出する。受信回路１３は、各端末器１ａ，１ｂ，…、２ａ，２ｂ，…からの応答信号を受信する。演算器１４は、送信回路１２や受信回路１３などを制御すると共に、種々の演算処理を行う。通信Ｉ／Ｆ（インターフエース）１５は、通信線接続端子６を介して通信線に接続され、演算器１４と通信線との間のインターフェースの役割を果たす。この通信線は上記の中央装置等の上位機器に接続されている。また、メモリ１６には、後述するようにして、各端末器がどのバンクに接続されているかという情報が記憶される。
【００１９】
次に、このような構成をした配電線搬送システムにおけるバンク登録方法について、図３のフローチャートを用いて説明する。
【００２０】
まず、中継器５は、複数のバンクの中の１つのバンクへ、送信回路１２によって端末呼び出し信号を送出する（ステップ１０１）。次に、中継器５は、この呼び出し信号に対する応答が受信回路１３にあるか否かを判断する（ステップ１０２）。応答があった場合には、呼び出した端末器を呼び出し信号を送出したバンクに仮にバンク登録すると共に、その応答信号の信号レベルをメモリ１６に一時記憶する。そして、その信号レベルが今までに記憶した信号レベルの中で最も大きい信号レベルであるか否かを判断する（ステップ１０３）。今回の応答が最大の信号レベルを有する応答であれば、中継器５は、呼び出した端末器が呼び出し信号を送出したバンクに接続されているものと判断する。そして、メモリ１６に仮に登録した、その端末器と、その端末器が接続されているバンクとの関係を正規のバンク登録とする（ステップ１０４）。
【００２１】
例えば、図１に示す配電網の場合には、中継器５は、図４に示す送受信タイミング図のように、ステップ１０１で、端末器１ａの呼び出し信号Ｃ１をバンクＡへ送出する。そして、中継器５は、ステップ１０２でこの呼び出しに対して応答があるか否かを判断する。送受信タイミング図に示すように応答信号Ａ１による応答があった場合には、端末器１ａをバンクＡに仮にバンク登録すると共に、その応答信号Ａ１の信号レベルをメモリ１６に一時記憶する。そして、その信号レベルが最大のものであるか否かをステップ１０３で判断する。最大の信号レベルを有するものであれば、中継器５は端末器１ａがバンクＡに接続されているものと判断し、メモリ１６に仮にバンク登録したものをステップ１０４で正規のバンク登録とする。
【００２２】
一方、ステップ１０２で中継器５の端末呼び出しに対して応答が無い場合、およびステップ１０３での判断が応答信号レベルが最大でない場合には、次に、複数のバンクの全てに対してステップ１０１の端末呼び出しを行ったか否かを判断する（ステップ１０５）。全てのバンクに対してその端末器の端末呼び出しを終了していない場合には、次に、呼び出すバンクを変更し（ステップ１０６）、次の新たなバンクに対してその端末器の端末呼び出しをステップ１０１で繰り返して行う。
【００２３】
ステップ１０１の端末呼び出しは、このように１台の端末器に対して全てのバンクについて行われ、各バンクについての応答の中で最大の信号レベルを有するバンクがステップ１０３で検出される。ステップ１０４のバンク登録はステップ１０３で検出された最大信号レベルを有するバンクに対して行われる。このようにしてその端末器が接続されているバンクを判断するのは、例えば、図１の配電網において、バンクＡに対して端末呼び出し信号を送出しても、その端末呼び出し信号が低圧配電線１から柱上変圧器３を介して高圧配電線側に漏れ、この漏れた端末呼び出し信号が柱上変圧器４を介してバンクＢにも届く場合があるからである。
【００２４】
このような信号漏れが無い場合には、例えば、図４に示す送受信タイミング図に示すように、端末器２ａの呼び出し信号Ｃ２をバンクＡに送出しても、端末器２ａはバンクＢに接続されているため、応答はない。しかし、上記の信号漏れがあると、端末器１ａの呼び出し信号Ｃ１をバンクＢに送出しても、送受信タイミング図に示すようにバンクＡに漏れたこの呼び出し信号Ｃ１’が端末器１ａに受信される。端末器１ａは呼び出し信号Ｃ１’を受信すると、応答信号Ａ１’を中継器５へ返信する。しかし、送受信タイミング図に示すように、バンクＡに送出した呼び出し信号Ｃ１に対して端末器１ａが返信した応答信号Ａ１は、応答信号Ａ１’の信号レベルよりも大きいため、中継器５は上記のステップ１０３の処理によって応答信号Ａ１’を無視する。
【００２５】
また、送受信タイミング図に示すように、端末器２ａの呼び出し信号Ｃ２をバンクＢへ送出すると、端末器２ａはこの呼び出しに対して応答信号Ａ２を中継器５へ返信する。応答信号Ａ２はステップ１０３の処理において最大信号レベルとなり、端末器２ａはステップ１０４の処理においてバンクＢにバンク登録される。
【００２６】
バンク登録処理は、次に、ステップ１０１〜ステップ１０６の処理が全ての端末器について行われたか否かが判断される（ステップ１０７）。全ての端末器についての処理が終了していない場合には、次の端末器に対して同様な処理が行われ（ステップ１０８）、全ての端末器に対してステップ１０１〜ステップ１０６の処理が行われる。
【００２７】
このような本実施形態によるバンク登録方法では、バンク登録は、事前調査といった労力および時間を必要とする人手によることなく、中継器５自身によって自動的に行われる。このため、本実施形態によれば、バンク登録は人手によることなく短時間で確実に行え、作業員の労力は軽減されるようになる。しかも、毎回不要な通信を行うことなく、バンク毎に散らばる端末器の使用電力量データを効率的に読み出せるバンク登録の利点が活かせ、端末器が持っている使用電力量データの収集時間は短縮される。
【００２８】
また、本実施形態では、ステップ１０１〜ステップ１０８の処理によるバンク登録後は、中継器５は登録バンクにのみ端末呼び出し信号を送出する。そして、所定回数以上のこの端末呼び出しに対して端末器から応答がないと、バンク登録を抹消し、再度ステップ１０１〜ステップ１０８の上記のバンク登録を行う。例えば、バンク登録後は、中継器５は、端末器１ａを呼び出す際にはバンクＡに対してだけ端末呼び出し信号Ｃ１を送出する。そして、例えば、この呼び出しを５回行って端末器１ａから応答信号Ａ１が返信されないと、メモリ１６に記憶されたバンク登録を全て抹消し、全ての端末器に対して全てのバンクについて上記のバンク登録処理をし直す。
【００２９】
このようなバンク登録方法によれば、負荷分割等の状況変化によって端末器１ａ，１ｂ，…、２ａ，２ｂ，…とバンクＡ，Ｂとの関係に変更があり、例えばバンクＡに端末器１ａの呼び出しを行っても端末器１ａがバンクＢに接続変更されてその応答が得られない場合、この状況変化は中継器５によって上記のように自動的に把握される。同様に、同じバンクＡまたはバンクＢ内であっても負荷となる端末器が増減した場合には、同様に、この状況変化は中継器５によって自動的に把握される。そして、中継器５によって自動的にバンク登録がし直される。
【００３０】
また、本実施形態では、上記の再度のバンク登録の際、中継器５の呼び出しに対して全てのバンクについて応答のない端末器のバンク登録を中継器５は抹消する。例えば、中継器５の端末器１ａの呼び出しに対してバンクＡ，Ｂについて応答が得られない場合、中継器５は端末器１ａのバンク登録を抹消する。このようなバンク登録方法によれば、端末器１ａ，１ｂ，…、２ａ，２ｂ，…とバンクＡ，Ｂとの関係に変更があって既に登録された端末器１ａが取り外されて無くなった場合、その端末器１ａのバンク登録は中継器５によって自動的に抹消される。
【００３１】
このため、従来、負荷分割の都度、多大な労力および時間を要する人手によるバンク登録によって再度バンク登録をし直さなければならなかったが、本実施形態によれば、中継器５によって自動的にバンク登録が迅速にかつ確実にし直される。
【００３２】
なお、上記実施形態においては、複数のバンクに接続された各端末器と配電線を伝送路として交信する端末制御装置を中継器５とした場合について説明したが、この端末制御装置は中継器５に限定されることはない。例えば、電力会社に設置される中央装置などのより上位の機器を端末制御装置とし、この上位機器によって上述した中継器５の動作を行う構成にしてもよい。この場合においても、上述した実施形態と同様な効果が奏される。
【００３３】
【発明の効果】
以上説明したように本発明によれば、端末器のバンク登録時間の短縮を図ることができると共に、端末器のバンク接続状況に変化が生じても、この状況変化に速やかに対応することが可能となる。
【図面の簡単な説明】
【図１】本発明の一実施形態における配電線搬送システムの全体構成図である。
【図２】図１に示す中継器の内部構成例を示すブロック図である。
【図３】本発明の一実施形態によるバンク登録方法を示すフローチャートである。
【図４】本発明の一実施形態によるバンク登録方法における中継器と端末器との間の送受信タイミングを示す図である。
【符号の説明】
１，２…交流配電線
１ａ，１ｂ、２ａ，２ｂ…端末器
３，４…柱上変圧器
５…中継器
６…通信線接続端子
１１…配電線接続端子
１２…送信回路
１３…受信回路
１４…演算器
１５…通信Ｉ／Ｆ
１６…メモリ
【図１】
0003547668.tif 000002
【図２】
0003547668.tif 000003
【図３】
0003547668.tif 000004
【図４】
0003547668.tif 000005